【手続補正書】
【提出日】平成21年4月2日(2009.4.2)
【手続補正１】
【補正対象書類名】明細書
【補正対象項目名】請求項１
【補正方法】変更
【補正の内容】
【請求項１】  電力の供給を受けて動作可能であり、遊技者が所定の遊技を行なうことが可能な遊技機であって、
前記遊技機に設けられた電気部品を、制御状態に応じて制御状態データを変更させて、制御する電気部品制御手段と、
前記遊技機への電力の供給が停止しても所定期間、前記制御状態データを記憶することが可能な制御状態記憶手段と、
前記遊技機で用いられる所定の電力の状態を監視して、前記遊技機への電力の供給停止に関わる検出条件が成立したときに検出信号を出力する電力監視手段と、
前記電気部品制御手段による制御が開始された後、前記電力監視手段から前記検出信号が出力されたか否かを監視する第１検出信号監視手段と、
前記第１検出信号監視手段により前記検出信号が出力されたことが検出されたときに、前記制御状態記憶手段に記憶された制御状態データにより制御を再開させるための参照データを前記制御状態記憶手段に記憶させる電力断処理手段と、
電力の供給が再開されたときに、前記制御状態記憶手段に記憶された参照データに基づいて、前記制御状態記憶手段に記憶された制御状態データにより制御を再開させるか否かを判定する復旧判定手段と、
前記復旧判定手段が前記制御状態記憶手段に記憶された制御状態データにより制御を再開させると判定したことに基づいて、前記制御状態記憶手段に記憶されている制御状態データに基づいて前記電気部品制御手段による制御を再開させる制御再開手段と、
前記復旧判定手段が前記制御状態記憶手段に記憶された制御状態データにより制御を再開させないと判定したことに基づいて、前記制御状態記憶手段に記憶された制御状態データを初期化するとともに、初期化された制御状態データに基づいて前記電気部品制御手段による制御を再開させる制御初期化手段とを備え、
電力の供給が再開されてから、前記復旧判定手段による判定がされるまでに、前記電力監視手段から前記検出信号が出力されたか否かを監視する第２検出信号監視手段と、
前記第２検出信号監視手段により前記検出信号が出力されたことが検出されたときに、前記参照データを前記制御状態記憶手段に記憶したまま、前記電気部品制御手段による制御の再開を禁止する制御再開禁止手段とをさらに備えることを特徴とする、遊技機。
【手続補正２】
【補正対象書類名】明細書
【補正対象項目名】０００７
【補正方法】変更
【補正の内容】
【０００７】
【課題を解決するための手段の具体例およびその効果】
（１）  電力の供給を受けて動作可能であり、遊技者が所定の遊技を行なうことが可能な遊技機（たとえば、パチンコ遊技機１）であって、
前記遊技機に設けられた電気部品を、制御状態に応じて制御状態データを変更させて、制御する電気部品制御手段（たとえば、遊技制御用マイクロコンピュータ５３、払出制御用マイクロコンピュータ３７０）と、
前記遊技機への電力の供給が停止しても所定期間（たとえば、バックアップ電源（電圧ＶＢＢ）からの電力でＲＡＭ５５に記憶されたデータをバックアップする場合は、バックアップ電源からの電力が供給されている期間）、前記制御状態データを記憶することが可能な制御状態記憶手段（たとえば、遊技制御用マイクロコンピュータ５３のＲＡＭ５５）と、
前記遊技機で用いられる所定の電力（たとえば、ソレノイド電源（電圧ＶＳＬ）３８２からの電力）の状態を監視して、前記遊技機への電力の供給停止に関わる検出条件（たとえば、ＶＳＬ＜ＶＢ）が成立したときに検出信号（たとえば、電源断信号）を出力する電力監視手段（たとえば、電源監視回路９２０）と、
前記電気部品制御手段による制御が開始された後、前記電力監視手段から前記検出信号が出力されたか否かを監視する第１検出信号監視手段（たとえば、遊技制御用マイクロコンピュータ５３のＣＰＵ５６および入力ポート５７２、Ｓ６１，Ｓ６２，Ｓ６４〜Ｓ６６）と、
前記第１検出信号監視手段により前記検出信号が出力されたことが検出されたとき（電源断信号が所定回数の電源断処理に亘って連続して検出されたとき）に、前記制御状態記憶手段に記憶された制御状態データにより制御を再開させるための参照データ（たとえば、値が２であるバックアップ監視タイマ）を前記制御状態記憶手段に記憶させる電力断処理手段（たとえば、遊技制御用マイクロコンピュータ５３、Ｓ６４）と、
電力の供給が再開されたときに、前記制御状態記憶手段に記憶された参照データに基づいて、前記制御状態記憶手段に記憶された制御状態データにより制御を再開させるか否か（たとえば、バックアップ監視タイマの値が２であるか否か）を判定する復旧判定手段（たとえば、遊技制御用マイクロコンピュータ５３、Ｓ２０，Ｓ２１）と、
前記復旧判定手段が前記制御状態記憶手段に記憶された制御状態データにより制御を再開させると判定したことに基づいて、前記制御状態記憶手段に記憶されている制御状態データに基づいて前記電気部品制御手段による制御を再開させる制御再開手段（たとえば、遊技制御用マイクロコンピュータ５３、Ｓ２２〜Ｓ２５）と、
前記復旧判定手段が前記制御状態記憶手段に記憶された制御状態データにより制御を再開させないと判定したことに基づいて、前記制御状態記憶手段に記憶された制御状態データを初期化するとともに、初期化された制御状態データに基づいて前記電気部品制御手段による制御を再開させる制御初期化手段（たとえば、遊技制御用マイクロコンピュータ５３、Ｓ２６，Ｓ２７）とを備え、
電力の供給が再開されてから、前記復旧判定手段による判定がされるまでに、前記電力監視手段から前記検出信号が出力されたか否かを監視する第２検出信号監視手段（たとえば、遊技制御用マイクロコンピュータ５３のＣＰＵ５６および入力ポート５７２、Ｓ１５，Ｓ１６）と、
前記第２検出信号監視手段により前記検出信号が出力されたことが検出されたときに、前記参照データを前記制御状態記憶手段に記憶したまま、前記電気部品制御手段による制御の再開を禁止する制御再開禁止手段（たとえば、遊技制御用マイクロコンピュータ５３、Ｓ１６でＹ）とをさらに備える。
【手続補正３】
【補正対象書類名】明細書
【補正対象項目名】０００８
【補正方法】変更
【補正の内容】
【０００８】
このような構成によれば、遊技機に設けられた電気部品が、制御状態に応じて制御状態データを変更させて、制御され、遊技機への電力の供給が停止しても所定期間、制御状態データが記憶され、遊技機で用いられる所定の電力の状態が監視され、遊技機への電力の供給停止に関わる検出条件が成立したときに検出信号が出力され、制御が開始された後、検出信号が出力されたか否かが監視され、検出信号が出力されたことが検出されたときに、記憶された制御状態データにより制御を再開させるための参照データが記憶され、電力の供給が再開されたときに、記憶された参照データに基づいて、制御状態データにより制御を再開させるか否かが判定され、記憶された制御状態データにより制御を再開させると判定されたことに基づいて、記憶されている制御状態データに基づいて制御が再開され、記憶された制御状態データにより制御を再開させないと判定したことに基づいて、記憶された制御状態データが初期化されるとともに、初期化された制御状態データに基づいて制御が再開され、電力の供給が再開されてから、制御を再開させるか否かの判定がされるまでに、検出信号が出力されたか否かが監視され、検出信号が出力されたことが検出されたときに、参照データを記憶したまま、制御の再開が禁止される。